(57)【要約】【課題】 押釦型自転車用錠において、押釦の探り止めを強化することと埃とか雨水がケース内に侵入することを防止して、施錠の信頼性と耐久性を向上させる【解決手段】錠ケース１の表面部７に複数個の押釦５を配列し、該ケースの側面部に開錠操作レバー１４を臨出させた押釦型自転車用錠であって、表面部７に密着する基板部９と、基板部上に突設され、上記各押釦に個別に被さり、かつ、それぞれに弾性的に復元する復元力を具えた中空の収容部８とを一体に形成した樹脂製カバー６を錠ケースに貼り付けた押釦型自転車用錠である。【選択図】図１
2005127026.tif 000002
【特許請求の範囲】
【請求項１】
錠ケースの表面部に複数個の押釦を配列し、該ケースの側面部に開錠操作レバーを臨出させた押釦型自転車用錠であって、上記表面部に密着する基板部と、基板部上に突設され、上記各押釦に個別に被さり、かつ、それぞれに弾性的に復元する復元力を具えた中空の収容部とを一体に形成した樹脂製カバーを錠ケースの表面部に貼り付けたことを特徴とする押釦型自転車用錠。
【請求項２】
前記錠ケースの表面部に配列した各押釦は、錠ケース内に昇降自在に嵌合する嵌合基部の同一側面に、押釦の上昇位置と下降位置とに対応する掛止段部を設け、該掛止段部と係合する掛止ばねは、押釦の間隔にほぼ等しい間隔を有して、上記掛止段部と個別に係合する弾性片を配列するとともに、各弾性片の基端側を一体に連設した取付け部とによって構成されていることを特徴とする請求項１記載の押釦型自転車用錠。
【請求項３】
前記各押釦は、前記錠ケースの正面左側の表面部に縦１列に配列され、前記錠ケース内に備えられて、各押釦の前記嵌合基部をそれぞれ昇降自在に嵌合する押釦錠ケースは、ベース部材に沿って押釦の配列方向に摺動を可能にして備えたリセットベースと、前記掛止ばねの取付け部を側縁に固定して上記リセットベースに嵌合する釦受け台と、各押釦の嵌合基部を復元ばねと共に個別に嵌入し、側面にリセットばねを装着して上記釦受け台に摺動自在に重ね合わされる前記開錠操作レバーとからなる各部材をダイカストで形成したことを特徴とする請求項２記載の押釦型自転車用錠。
【発明の詳細な説明】
【技術分野】
【０００１】
本発明は、錠ケースの表面部に複数個の押釦を配列し、該ケースの側面部に開錠操作レバーを臨出させた押釦型自転車用錠に関し、特に、側面に開錠レバーを臨出させたこの種の錠の探り止めを強化し、さらに、錠ケースの表面部にある押釦とその嵌合孔に沿って埃とか雨水がケース内に侵入することを防止できるようにしたことを特長とするものである。
【背景技術】
【０００２】
従来の押釦型自転車用錠には、例えば、特許文献１のように、押釦の暗証番号の設定を任意に変更できるようにしたものと、例えば、特許文献２のように、錠ケースの表面に臨出する押釦の上面に蓄光顔料を含有する発光部を備えて、夜間とか無照明の場合の開錠操作を便利にできるようにしものとがある。
【０００３】
【特許文献１】実開平６−２０８１３号公報
【特許文献２】特開平１０−１０２８７２号公報
【０００４】
押釦型自転車用錠は、錠ケースの表面部に臨出する各押釦と、押釦を昇降自在に嵌合する嵌合孔との間に若干のクリアランスがあり、自転車への取り付け後に、このクリアランスから押釦に沿って埃とか雨水が錠ケース内に侵入する虞がある。
また、錠ケースの側面部に開錠用の開錠操作レバーを臨出させた錠前にあっては、該レバーを押し入れようとした場合に、錠前の番手に対応して該レバーと係合している押釦が若干沈む現象を起こすことから番手に応じた押釦の位置が分かり、不法に開錠され易いという欠点があった。
【発明の開示】
【発明が解決しようとする課題】
【０００５】
以上のことから、本発明が解決しようとする問題点は、押釦を備え、開錠操作用の開錠レバーを備えたこの種の自転車用錠において、押釦の探り止めを強化することと埃とか雨水がケース内に侵入することを防止して、施錠の信頼性と耐久性を向上させることにある。
【課題を解決するための手段】
【０００６】
そこで本発明は、上記の課題を解決するために、錠ケースの表面部に複数個の押釦を配列し、該ケースの側面部に開錠操作レバーを臨出させた押釦型自転車用錠であって、上記ケースの表面部に密着する基板部と、基板部上に突設され、上記各押釦に個別に被さり、かつ、それぞれに弾性的に復帰する復元力を具えた中空の収容部とを一体に形成した樹脂製カバーを錠ケースの表面部に貼り付けたことを特徴とする押釦型自転車用錠を提供するものである。
【発明の効果】
【０００７】
本発明に係る押釦型自転車用錠は、押釦を配列した錠ケースの表面部を、貼り付けた樹脂製カバーの基板部で覆い、表面部上に臨出している各押釦は、基板部上に突設されて各押釦に個別に被さり、それぞれに弾性的に自力で復帰する中空の収容部で覆われている。
したがって、開錠操作時には、復元力を具えた中空の収容部を押して通常の押釦型自転車用錠と同様に開錠できるが、施錠状態にある錠前を開錠操作レバーを押して探りを入れたときには、その錠前の番手に対応する押釦が若干沈んでも当該の押釦を覆っている中空の収容部には外見上に変化を生じない。そのため、開錠レバーを押して番手に対応する押釦を探り出そうとする探りは不能になる。
また、各押釦の露出部分は、基板部から一体に突設されて押釦に被さる中空の収容部に覆われるので、押釦と嵌合孔と間のクリアランスから埃とか雨水がケース内に侵入する虞が無く、施錠操作、開錠操作が常に円滑にできるので、錠前の耐久性が向上する。なお、仮にこの樹脂製カバーが退化し劣化した場合には、新品と貼り替えることが容易にできる。
【０００８】
また請求項２の発明は、請求項１の押釦型自転車用錠において、錠ケース内に昇降自在に嵌合する各押釦の嵌合基部の同一側面に、押釦の上昇位置と下降位置とに対応する掛止段部を設け、該段部と係合する掛止ばねを、押釦の間隔とほぼ等しい間隔を有して、上記掛止部と個別に係合するように配列した弾性片と、この各弾性片の基端側を一体に連設した取付け部とによって構成したことを特徴とするものであって、従来、押釦の嵌合基部の掛止ばねを個別に錠ケース内に取り付けて備えるようにしていた場合に比べて、部品点数を少なくし、組立てを容易にすることができる。
【０００９】
また請求項３の発明は、請求項２の押釦型自転車用錠において、各押釦を、錠ケースの左側表面に縦１列に配列し、錠ケース内に備えられて、各押釦の嵌合基部をそれぞれ昇降自在に嵌合する押釦錠ケースを、錠ケースのベース部材に沿って押釦の配列方向に摺動を可能にして備えたリセットベースと、掛止ばねの取付け部を側縁に固定して上記リセットベースに嵌合する釦受け台と、各押釦の嵌合基部を復元ばねと共に個別に嵌入し、側面にリセットばねを装着して上記釦受け台に摺動自在に重ね合わされる前記開錠操作レバーとからなる各部材をダイカストで形成したことを特徴とするものである。
押釦錠ケースを構成する各部材を上記のようにダイカストで形成することによって、施錠機構部分の精度を向上することと、組立てを容易にすることができる。
【発明を実施するための最良の形態】
【００１０】
錠ケースの表面部に複数個の押釦を配列し、該ケースの側面部に開錠操作レバーを臨出させた押釦型自転車用錠において、錠ケースの上記表面部を覆う基板部と、基板部上に一体に突設されて配列された押釦に個別に被さり、かつ、弾性的にそれぞれ自力で復帰する中空の収容部とを一体に具えた樹脂製カバーを貼り付けて、開錠操作レバーを用いる押釦の探りを阻止し、かつ、押釦の嵌合孔からの埃と雨水の侵入を防止する。
【実施例】
【００１１】
以下に、本発明をサークル錠に実施した場合の例を図面について説明する。  
図１は、押釦型自転車用錠の分解斜視図、図２の（ａ）は、押釦の施錠操作後の位置を説明し、同図（ｂ）は、押釦の開錠操作前の位置を説明する一部切欠拡大側面図、図３は、押釦型自転車用錠の正面図、図４は、樹脂製カバーの正面図、図５は、樹脂製カバーの側面図、図６は、樹脂製カバーの裏面図、図７は、樹脂製カバーの縦断側面図である。
【００１２】
図において、１は、ベース部材２に重ね合わされて互いに一体に結合する錠ケース、３は錠ケース１内に設置される押釦錠ケース、４は、錠ケース１の上面に操作摘み４”を臨出させて閂ばね４’とともに摺動自在に嵌装される円弧形の閂、５は、錠ケース１の表面部７に設けたそれぞれの嵌合孔１０に昇降を可能にして嵌合する押釦、６は、図３に示すように、押釦５を配列した錠ケース１の表面部７内に貼り付けられる樹脂製カバーである。
【００１３】
この実施例の場合、図５に示すように、樹脂製カバー６は、表面に長さ方向に沿って形成した計８個の中空の収容部８と、各収容部８を突設して互いに一体形成され、錠ケース１の表面部７の内形に沿う外形を具えた基板部９とからなる。
各収容部８は、それぞれに押し下げても弾性的に自力で復帰できる復元力を具え、錠ケース１の表面部７に臨出する各押釦５には個別に被さっている。
このサークル錠は、円弧形の閂４の操作摘み４”を持って図３中に虚線で示す施錠位置に移動させると、従来のサークル錠と同様に、閂４の中間に具えた掛止部ａに、ばねｂに付勢されるストッパーｃがかみ合って閂４を施錠位置にロックする。  
【００１４】
開錠操作時には、所定の番手に対応する押釦５を収容部８の上面から錠ケース１内に押し下げる。
押し下げられた押釦５は、下部の嵌合基部１１を押釦錠ケース３内に備えた掛止ばね１２との係合から一時脱し、錠前に付されている番手に従って開錠操作レバー１４との干渉状態を外して、該レバー１４を摺動可能の状態にする。一方、押釦５と中空の収容部８は、押し下げ力の解除とともに図２（ｂ）に示すように操作前の位置にそれぞれ復帰する。
【００１５】
上記のようにして、押釦５との干渉状態を外した開錠操作レバー１４は、錠ケース１の側面部１３に臨出している突出部１４’を押すと、該レバー１４の側面に具えた突部１４”が前述のストッパーｃをばねｂに抗して押し上げ、ストッパーｃによるロックを解除し、閂４を閂ばね４’の復元力に付勢させて開錠位置に復帰させる。
【００１６】
開錠操作前、操作後に復位する押釦５の上面と、復元した収容部８の上部裏面との間には若干の間隙があることが望ましいが、各押釦５は外見上では見えない。
前記樹脂製カバー６の基板部９は、各押釦５の番号を表示していて使用者には番手に対応する押釦５がどれであるかが分かるようになっている。
そのため、従来の押釦型自転車用錠のように不法に開錠しようとして開錠操作レバー１４の突出部１４’を押す探りを入れた場合、当該の押釦５は各部に存在するクリアランスに起因して若干の下降を（沈み）を生じても被さっている収容部８には変化が表れない。
したがって、不法に開錠しようとしても、どの押釦５が動いたか、沈んだかは外からでは判別できない。そのため、このような不法な開錠操作は効果をもたらすことができない。
【００１７】
この実施例において、樹脂製カバー６の基板部９は、図６中にハッチングを施した範囲に裁断した両面テープ１５を裏面に貼り、粘着面を下にして錠ケース１の表面部７に貼るように用いる。その貼り付けと同時に、表面部７に配列した各押釦５は、樹脂製カバー６の基板部９に一体に連続する中空の収容部５に覆われるので完全に防水され、押釦５とその嵌合孔１０との間から埃とか雨水が浸入することがない。
なお、樹脂製カバー６には、比較的に軟質のラバー、ゴムを使用しているが、劣化して弾力性が損なわれた場合には、新品と貼替えることは容易である。
【００１８】
図３に示すように、錠ケース１の左側表面に各押釦５を縦１列に配置する一方、図１、２に示すように、錠ケース１内に備えられて、各押釦５の嵌合基部１１をそれぞれ昇降自在に嵌合する押釦錠ケース３は、ベース部材２の表面に沿って押釦５の配列方向に摺動を可能にして備えたリセットベース１６と、掛止ばね１２の取付け部を側縁に固定して上記リセットベースに嵌合する釦受け台１７と、各押釦５の嵌合基部１１を復元ばね１８と共に個別に嵌入し、側面にリセットばね１９を装着して釦受け台１７に摺動自在に重ね合わされる前記開錠操作レバー１４とからなる。
本発明においては、上記各部材、すなわち、リセットベース１６、釦受け台１７、開錠操作レバー１４をダイカストで製作することにより、低コストで精度が高く、組立てやすい押釦錠ケース３を提供できる。
【００１９】
また、この実施例において、押釦５の嵌合基部１１を上昇位置、下降位置に掛止する掛止ばね１２は、図１に示すように、複数の押釦５毎に側面から係合するように備えた弾性片１２’と、押釦５の配置間隔とほぼ等間隔に具えた各弾性片１２’の上部を横一連に連ねて鈎形に折れ曲がる取付け部１２”とで構成することにより、同じく低コストで精度が高く、組立てやすい押釦錠ケース３を提供することができる。
【産業上の利用可能性】
【００２０】
上記のように構成した本発明押釦型自転車用錠は、サークル錠に限らずその他の自転車用錠にも適用することができる。そして、押釦と押釦を配列した錠ケースの表面部を貼り付けた樹脂製カバーで覆うことにより防塵と防水効果ととともに探り止め効果の高い自転車用錠を提供できる。
なお、本発明の実施に際しては採用する自転車用錠の形態、樹脂製カバーの素材とか厚みなどは、本発明の目的に沿って、実施例の態様のみに限定されるものではない。
【図面の簡単な説明】
【００２１】
【図１】押釦型自転車用錠の分解斜視図
【図２】の（ａ）、（ｂ）は、押釦の施錠操作前後の位置を説明する一部切欠拡大側面図
【図３】押釦型自転車用錠の正面図
【図４】樹脂製カバーの正面図
【図５】樹脂製カバーの側面図
【図６】樹脂製カバーの裏面図
【図７】樹脂製カバーの縦断側面図である。
【符号の説明】
【００２２】
１    錠ケース
２    ベース部材
３    押釦錠ケース
４    閂  （４’  閂ばね、  ４”  操作摘み）
５    押釦
６    樹脂製カバー
７    表面部
８    収容部
９    基板部
１０    嵌合孔
１１    嵌合基部
１２    掛止ばね  （１２’  弾性片、  取付け部）
１３    側面部
１４    開錠操作レバー  （１４’  突出部、  １４”  突部）
１５    両面テープ
１６    リセットベース
１７    釦受け台
１８    復元ばね
１９    リセットばね
ａ    掛止部
ｂ    ばね
ｃ    ストッパー
【図１】
2005127026.tif 000003
【図２】
2005127026.tif 000004
【図３】
2005127026.tif 000005
【図４】
2005127026.tif 000006
【図５】
2005127026.tif 000007
【図６】
2005127026.tif 000008
【図７】
2005127026.tif 000009